(57)【要約】【課題】ハウジングに対する操作部材、ロック解除部材およびスプリングの組付け性を改善するとともに、操作部材とロック解除部材との連動関係や復帰力といった機能はこれまでどおりに維持する。【解決手段】操作部材３０をスプリングＳの弾性による復帰力に抗して作動させることにより、これに連動するロック解除部材４０の作動によって物入れのロック機構を解除する形式の操作装置であって、操作部材３０とロック解除部材４０とは、一方の作動方向を直交方向へ変換して他方に伝えるために互いに斜面で突き合わせた方向変換部５０を備えている。この方向変換部は、操作部材とロック解除部材とが斜面に沿って相対的にスライド可能で、かつ、相互を一体的に結合可能である。スプリングＳは、操作部材３０のセット部３８に組付けられ、この操作部材とハウジング２４との間において復帰力を発揮するように構成されている。【選択図】図６
2013103642.tif 000002
【特許請求の範囲】
【請求項１】
ハウジングに対して操作部材とロック解除部材とが互いに連動し、かつ、互いに直交する方向へ往復作動するように組込まれ、操作部材をスプリングの弾性による復帰力に抗して作動させることにより、これに連動するロック解除部材の作動によって物入れのロック機構を解除する形式の操作装置であって、
操作部材とロック解除部材とは、一方の作動方向を直交方向へ変換して他方に伝えるために互いに斜面で突き合わせた方向変換部を備え、この方向変換部は、操作部材とロック解除部材とが斜面に沿って相対的にスライド可能で、かつ、操作部材を組込むことでロック解除部材と一体的に結合可能であり、スプリングは、操作部材の外側で開放されたセット部に組付けられ、この操作部材をハウジングに組込むことにより、操作部材とハウジングとの間において復帰力を発揮するように構成された物入れ用ロック機構の操作装置。
【請求項２】
請求項１に記載された物入れ用ロック機構の操作装置であって、
ハウジングに対し、ロック解除部材に次いで操作部材を組込む際に、この操作部材を所定のストロークでハウジング内に押込む作動と、それに連動するロック解除部材の作動とにより、方向変換部において操作部材とロック解除部材とが一体的に結合されるように構成された物入れ用ロック機構の操作装置。
【発明の詳細な説明】
【技術分野】
【０００１】
本発明は、車両用グローブボックス等で代表されるような物入れを閉じた状態でロックするロック機構を解除するための操作装置に関する。
【背景技術】
【０００２】
この種の操作装置は、例えば特許文献１にも開示されているように、装置のハウジングに対して操作部材とロック解除部材とが互いに直交する方向へ往復作動するように組込まれている。操作部材をハウジング内に押込む方向へ操作することにより、その作動に連動してロック解除部材がハウジング内から突出する方向へ作動し、物入れのロック機構が解除され、物入れを開くことができる。
操作部材には、ロック解除部材側からスプリングの弾性による復帰力が作用しており、この復帰力に抗して操作部材を操作することになる。そして、このスプリングは、ロック解除部材とハウジングのスプリング受けとの間に組付けられるのが一般的である。
【先行技術文献】
【特許文献】
【０００３】
【特許文献１】特開２００５−１０４１９２号公報
【発明の概要】
【発明が解決しようとする課題】
【０００４】
上記のように構成された操作装置においては、ロック解除部材をハウジングに組込む際に該ハウジングのスプリング受けが障害となり、これを避けるためにロック解除部材を円弧軌跡で組込まなければならない。また、復帰力を発揮させるスプリングは、ハウジングに組込まれた状態のロック解除部材とスプリング受けとの間に組付けるため、作業者の技術力ならびに専用工具などが必要となり、作業性がわるい。
なお、スプリングの組付け性を改善するために、このスプリングを操作部材とハウジングとの間に設けることが考えられる。しかし、スプリングの組付け箇所を操作部材とハウジングとの間に単純に変更しただけでは、スプリングによる復帰力がロック解除部材に作用しなくなり、操作部材とロック解除部材との連動関係が成り立たなくなる。
【０００５】
本発明は、このような課題を解決しようとするもので、その目的は、ハウジングに対する操作部材、ロック解除部材およびスプリングの組付け性を改善するとともに、操作部材とロック解除部材との連動関係や復帰力といった機能はこれまでどおりに維持することである。
【課題を解決するための手段】
【０００６】
本発明は、上記の目的を達成するためのもので、以下のように構成されている。
ハウジングに対して操作部材とロック解除部材とが互いに連動し、かつ、互いに直交する方向へ往復作動するように組込まれ、操作部材をスプリングの弾性による復帰力に抗して作動させることにより、これに連動するロック解除部材の作動によって物入れのロック機構を解除する形式の操作装置であって、操作部材とロック解除部材とは、一方の作動方向を直交方向へ変換して他方に伝えるために互いに斜面で突き合わせた方向変換部を備えている。この方向変換部は、操作部材とロック解除部材とが斜面に沿って相対的にスライド可能で、かつ、操作部材を組込むことでロック解除部材と一体的に結合可能である。スプリングは、操作部材の外側で開放されたセット部に組付けられ、この操作部材をハウジングに組込むことにより、操作部材とハウジングとの間において復帰力を発揮するように構成されている。
【０００７】
より好ましくは、ハウジングに対し、ロック解除部材に次いで操作部材を組込む際に、この操作部材を所定のストロークでハウジング内に押込む作動と、それに連動するロック解除部材の作動とにより、方向変換部において操作部材とロック解除部材とが一体的に結合されるように構成されていることである。
【発明の効果】
【０００８】
本発明においては、ハウジングに操作部材およびロック解除部材を組込むにあたって何ら制約を受けることがなく、これらを共に直線軌跡で組込むことができ、また、復帰力を発揮させるためのスプリングは操作部材のセット部に前もって組付けておくことができ、それによって操作装置の組付け性を改善することができる。
そして、スプリングが操作部材とハウジングとの間において復帰力を発揮するとともに、操作部材とロック解除部材とが方向変換部において一体的に結合されるので、操作部材とロック解除部材との連動関係およびスプリングによる復帰力といったこれまでの機能を維持することができる。
【０００９】
また、ハウジングに対して操作部材を組込む際に、操作部材をハウジング内に一度押込むだけで、操作部材とロック解除部材とが方向変換部において一体的に結合されることにより、この結合作業が操作装置の組付け性に支障をきたすのを回避できる。
【図面の簡単な説明】
【００１０】
【図１】車両用グローブボックスとその周辺を表した正面図。
【図２】グローブボックスのロック機構を表した断面図。
【図３】ロック機構の操作装置を表した外観斜視図。
【図４】操作装置を表した平面図。
【図５】図４のＡ−Ａ矢視方向の断面図。
【図６】図４のＢ−Ｂ矢視方向の断面図。
【図７】操作装置の構成部材を分解して表した外観斜視図。
【図８】操作装置の操作部材およびロック解除部材のみを表した外観斜視図。
【図９】図８のＣ−Ｃ矢視方向の断面図。
【発明を実施するための形態】
【００１１】
以下、本発明を実施するための形態を、図面を用いて説明する。
図１で示すように、車両室内のインストルメントパネル１０の助手席側に位置するグローブボックス１２（物入れ）は、その下部に設けられたピボット軸（図示省略）の軸線回りに回転できるようにインストルメントパネル１０に支持されている。また、このグローブボックス１２は、図２で示すロック機構１６によって閉じた状態に保持されている（図１）。このロック機構１６によるロックを解除することにより、グローブボックス１２が自重で手前方向へ回転し、ボックス内へのアクセスが可能な開放状態になる。
なお、グローブボックス１２の表面部（ドア部）の上隅にあるノブ２２を押すことにより、後述する操作装置２０の作動を通じてロック機構１６のロックが解除される。
【００１２】
ロック機構１６は、グローブボックス１２の内側において図２の左右方向へスライドするように組込まれた第１ロッド１６ａおよび第２ロッド１６ｂを備えている。これらの両ロッド１６ａ，１６ｂは、ラック・ピニオン１６ｃによって互いに左右逆方向へ同期してスライドするとともに、常時はスプリング等の付勢力を受けて個々の外端部がインストルメントパネル１０の孔に係合したロック状態に保持されている（図２）。
【００１３】
操作装置２０のノブ２２が押されると、この操作装置２０における後述のロック解除部材４０によって第２ロッド１６ｂが図２の左方向へ押され、スプリング等の付勢力に抗して同方向へスライドする。これに同期して第１ロッド１６ａは図２の右方向へスライドし、結果的に両ロッド１６ａ，１６ｂの外端部がインストルメントパネル１０の孔から抜け出てロック機構１６のロックが解除される。
【００１４】
操作装置２０は、ハウジング２４と、該ハウジング２４に組込まれる操作部材３０およびロック解除部材４０とを主体として構成されている。
ハウジング２４は、操作部材３０が組込まれる空間２６と、ロック解除部材４０が組込まれる空間２８とを備えている（図７）。これらの空間２６，２８は、ハウジング２４において互いに直角に位置する外側面でそれぞれ開放されており、かつ、図６に示すようにハウジング２４の内部で直角に交差して相互に連通している。なお、操作部材３０が組込まれる空間２６の内面には、その上下左右において計４個のガイド溝２６ａが設けられている（図７）。
【００１５】
操作部材３０は、ハウジング２４の空間２６に組込まれ、この空間２６に沿って往復作動することができる。操作部材３０の外面には、その上下左右においてレール部３２がそれぞれ設けられている。これらのレール部３２は、空間２６の各ガイド溝２６ａに個別に嵌って操作部材３０の作動を案内する。
操作部材３０は、ハウジング２４の空間２６に組込まれたときの奥側端部に設定された斜面３４を備えている。この斜面３４の両側には、それぞれ内側に向けて張り出した係合爪３６が設けられている。なお、操作部材３０における斜面３４の反対側の端部、つまりハウジング２４の外側に位置する端部に、操作装置２０のノブ２２が結合される。
【００１６】
図６および図７で示すように、操作部材３０は、その一側面（図面で上面）において外側に開放されたセット部３８を備えている。このセット部３８には、操作部材３０およびロック解除部材４０に復帰力を付与するスプリングＳが組付けられる（図６、図７）。スプリングＳは、操作部材３０がハウジング２４の空間２６に組込まれる前に、そのセット部３８に組付けられる。そして、操作部材３０が空間２６に組込まれた状態でのスプリングＳは、セット部３８の内壁と空間２６内のスプリング受け２６ｂとの間に位置し（図６）、ハウジング２４と操作部材３０との間において復帰力を発揮し得る状態となる。
【００１７】
ロック解除部材４０は、ハウジング２４の空間２８に組込まれ、この空間２８に沿って往復作動することができる。ロック解除部材４０は、ハウジング２４の外側に位置する端部において突起部４２を備えている。この突起部４２は、前述のようにロック機構１６のロックを解除するときに、このロック機構１６の第２ロッド１６ｂに接触して該第２ロッド１６ｂを押し動かす部分である。
ロック解除部材４０は、ハウジング２４の空間２８に組込まれたときの奥側端部に設定された斜面４４を備えている。この斜面４４の両側には、係合溝４６がそれぞれ設けられている。
【００１８】
操作部材３０およびロック解除部材４０が個々の空間２６，２８に組込まれた状態において、ハウジング２４の内部では操作部材３０の斜面３４とロック解除部材４０の斜面４４とが互いに突き合わされる。これらの斜面３４，４４により、操作部材３０およびロック解除部材４０における一方の作動方向を直交方向へ変換して他方に伝えるための方向変換部５０が構成されている（図６）。
また、方向変換部５０においては、斜面３４の両係合爪３６が斜面４４の両係合溝４６にそれぞれ係合している（図６、図９）。これにより、操作部材３０とロック解除部材４０とは、方向変換部５０において斜面３４，４４に沿って相対的にスライド可能で、かつ一体的に結合されている。
【００１９】
つづいて、ハウジング２４に操作部材３０およびロック解除部材４０を組込む手順について説明する。
まず、操作部材３０の上面において外側に開放されたセット部３８に、スプリングＳを組付ける。このときのスプリングＳは、圧縮力を加えることなく自由状態のままでセット部３８に組付けることができる。この後、操作部材３０をハウジング２４の空間２６に対して直線軌跡で組込む。これにより、前述のように操作部材３０の外面に設けられている各レール部３２が空間２６の各ガイド溝２６ａにスライド可能に嵌り合うとともに、スプリングＳがセット部３８の内壁と空間２６内のスプリング受け２６ｂとの間に位置して復帰力を発揮し得る状態となる。
【００２０】
操作部材３０の組込みと併行してロック解除部材４０をハウジング２４の空間２８に直線軌跡で組込む。この時点でのハウジング２４内における操作部材３０とロック解除部材４０との方向変換部５０は、相互の斜面３４，４４が突き合わされているだけで、斜面３４，４４の両係合爪３６と両係合溝４６との係合はなされていない。
そこで、操作部材３０を所定のストロークでハウジング２４内に押込むことにより、方向変換部５０の斜面３４，４４に沿ってロック解除部材４０が空間２８から押出される方向（図面の上方向）へ連動する。つまり、斜面３４，４４の接触位置が相対的に変化し、図６の仮想線で示す位置を越えた時点で、斜面３４，４４の両係合爪３６と両係合溝４６とが係合する。この結果、操作部材３０とロック解除部材４０とが方向変換部５０において一体的に結合されたことになる。
【００２１】
グローブボックス１２のロック機構１６を解除するには、前述のように操作装置２０のノブ２２を押すことで、操作部材３０がスプリングＳの弾性力に抗してハウジング２４の内部に押込まれる。この操作装置２０の作動が方向変換部５０によって直交方向への作動に変換されてロック解除部材４０に伝達され、このロック解除部材４０がハウジング２４内から突出する方向に作動する。これにより、ロック解除部材４０の突起部４２がロック機構１６の第２ロッド１６ｂに接触して該第２ロッド１６ｂを図２の左方向へ押し動かし、これに同期して第１ロッド１６ａが図２の右方向へスライドしてロック機構１６のロックが解除される。
【００２２】
以上の説明から明らかなように、操作部材３０およびロック解除部材４０は、ハウジング２４に対して共に直線軌跡で組込むことができる。そして、スプリングＳは操作部材３０をハウジング２４に組込む前に、この操作部材３０のセット部３８に組付けておくことができ、これまでのように作業者の技術力や専用工具などを必要としていたのと異なり、作業性が向上する。
また、スプリングＳを操作部材３０とハウジング２４との間に組付けたことによる課題、すなわちスプリングＳの弾性力がロック解除部材４０に作用しなくなることを、相互を方向変換部５０において一体的に結合することで解消している。これにより、操作装置２０に必要なこれまでの機能を維持することができる。しかも、方向変換部５０における操作部材３０とロック解除部材４０との結合は、これらをハウジング２４内に組込む際に、前述のように操作部材３０を所定のストロークでハウジング２４内に押込むだけでよく、操作装置２０の組付け性は適正に維持される。
【符号の説明】
【００２３】
１２   グローブボックス（物入れ）
１６   ロック機構
２０   操作装置
２４   ハウジング
３０   操作部材
３４   斜面
３８   セット部
４０   ロック解除部材
５０   方向変換部
Ｓ     スプリング
【図１】
2013103642.tif 000003
【図２】
2013103642.tif 000004
【図３】
2013103642.tif 000005
【図４】
2013103642.tif 000006
【図５】
2013103642.tif 000007
【図６】
2013103642.tif 000008
【図７】
2013103642.tif 000009
【図８】
2013103642.tif 000010
【図９】
2013103642.tif 000011